(57)【特許請求の範囲】
【請求項１】
縦・横・高さが所定の寸法とされた発泡樹脂製のブロックに外装を施してなるカマセユニットの所要数及び該カマセユニットと同じ縦・横寸法とされているが高さは低くされている異厚ブロック並びに家屋の梁や床構成材からの圧力を前記カマセユニットや異厚ブロックに対し分散した状態で伝えるとともに自らは隙間調整用として一定の厚みをもつ圧分散板をカマセユニットを優先的に用いて家屋の倒壊を防止するために対策する工法であり、梁と床構成材との間には、所要数のカマセユニットを互いにずれ止めした状態にして上下積層状に配列してのち同カマセユニットと梁との間に残される隙間を前記異厚ブロックおよび圧分散板を所要に用いて補充する一方、床下地盤と床構成材との間には、前記梁と床構成材との間に配列したカマセユニットの下方に対応すべく他のカマセユニットを優先して介装するとともに必要に応じて前記異厚ブロックを配置してのち床構成材との間に残される隙間に対しては圧分散板を挿し込むことで補充するようにする家屋倒壊対策工法。
【発明の詳細な説明】
【技術分野】
【０００１】  この発明は、地震に伴う家屋の倒壊などの危険から住民を防護することのできる家屋倒壊対策工法に関する。
【背景技術】
【０００２】  地震に伴う家屋の倒壊は圧死を招き、先の地震でも圧死した人の多いことが問題となった。
【発明の開示】
【発明が解決しようとする課題】
【０００３】  その対策として、例えば、特開平９−１７３１８２によりベッド用耐震防御フレームが提供された。このものは、地震などで転倒した家具、倒壊した家屋の重量から就寝者を保護し、倒壊家屋内に閉じ込められた場合でも、救助されるまでの間、耐久可能なシェルターとして機能するもので、ベッドまたは和風寝床の周囲に配設される柱などの支持部材と、該支持部材に取付けられた天蓋を含む高強度の構造体からなり、該構造体によってベッドまたは和風寝床の上部空間を囲むようにすることを特徴とするものである。その他、各種の防御フレームが提案されているが、いずれも家屋が倒壊することを大前提とするもので家屋の倒壊自体を防止する簡易かつ有効な対策はこれまで開示のないところである。
しかしながら、警告を発するようになっても住民は確たる逃げ場所がないのが実状である。
この発明は、上記に鑑みなされたもので、地震に伴う家屋の倒壊を簡単で有効に防止することのできる家屋倒壊対策工法を提供することにある。
【課題を解決するための手段】
【０００４】上記課題を解決するため、請求項１記載の発明は、縦・横・高さが所定の寸法とされた発泡樹脂製のブロックに外装を施してなるカマセユニットの所要数及び該カマセユニットと同じ縦・横寸法とされているが高さは低くされている異厚ブロック並びに家屋の梁や床構成材からの圧力を前記カマセユニットや異厚ブロックに対し分散した状態で伝えるとともに自らは隙間調整用として一定の厚みをもつ圧分散板をカマセユニットを優先的に用いて家屋の倒壊を防止するために対策する工法であり、梁と床構成材との間には、所要数のカマセユニットを互いにずれ止めした状態にして上下積層状に配列してのち同カマセユニットと梁との間に残される隙間を前記異厚ブロックおよび圧分散板を所要に用いて補充する一方、床下地盤と床構成材との間には、前記梁と床構成材との間に配列したカマセユニットの下方に対応すべく他のカマセユニットを優先して介装するとともに必要に応じて前記異厚ブロックを配置してのち床構成材との間に残される隙間に対しては圧分散板を挿し込むことで補充するようにする。
【発明の効果】
【０００５】この発明によれば、縦・横・高さが所定の寸法とされた発泡樹脂製のブロックに外装を施してなるカマセユニットの所要数及び該カマセユニットと同じ縦・横寸法とされているが高さは低くされている異厚ブロック並びに家屋の梁や床構成材からの圧力を前記カマセユニットや異厚ブロックに対し分散した状態で伝えるとともに自らは隙間調整用として一定の厚みをもつ圧分散板をカマセユニットを優先的に用いて家屋の倒壊を防止するために対策する工法であり、梁と床構成材との間には、所要数のカマセユニットを互いにずれ止めした状態にして上下積層状に配列してのち同カマセユニットと梁との間に残される隙間を前記異厚ブロックおよび圧分散板を所要に用いて補充する一方、床下地盤と床構成材との間には、前記梁と床構成材との間に配列したカマセユニットの下方に対応すべく他のカマセユニットを優先して介装するとともに必要に応じて前記異厚ブロックを配置してのち床構成材との間に残される隙間に対しては圧分散板を挿し込むことで補充するようにするので、地震に伴う家屋の倒壊を簡単で有効に防止することのできる家屋倒壊対策工法を提供することができる。特に、地震が襲来して半倒壊状態になった家屋に対してもそれ以上の倒壊を阻止することができるようになる。
【発明を実施するための最良の形態】
【０００６】  以下、この発明の一実施形態を図面にしたがって説明するが、ここで説明する各実施形態に含まれる個々の提案例は他の実施形態にも適用されるものとする。また、各構成部材の材質は木材・金属・樹脂（発泡スチロールも含む）など現存するすべてのものを利用し得るものとする。【０００７】  図１は地震により倒れかかった家屋に応急地震対策工法を施してそれ以上倒壊しないように処置した場合の概略図、図２は大きな被害は受けていないが先で倒壊のおそれがある場合に緊急地震対策工法を施した場合の概略図である。
これらの図において１２８は柱、１２９は床構成材、１３０は梁をそれぞれ示す。【０００８】  これらに対しては図３に示すようなカマセ工法が施されている。このカマセ工法には、カマセユニット１３１の複数個と補充用カマセユニット１３２が使用される。
カマセユニット１３１は、同図右下欄に示すように、段ボール箱（あるいは防水性樹脂製箱）などの外装ケース１３３に発泡樹脂製ブロックであるユニット本体１３４をフィットした状態で入れて密閉したもので、実施形態の場合、５０×５０×５０（ｃｍ）の寸法で作製されている。尚、前記発泡樹脂製ブロックは、強化発泡スチロール製で圧縮強度は１ｍ２当たり約３０トン仕様のものである。【０００９】  これら複数個のカマセユニット１３１…を床構成材１２９上から梁１３０まで積層設置して耐震手段とするのであるが、カマセユニット１３１…は規定寸法のものであるためそのまま積層してゆくと最上段のカマセユニット１３１と梁１３０との間には必ず隙間が残るのが通例であり、その隙間を埋めるため前記補充用カマセユニット１３２が使用される。同ユニット１３２は、外装ケース１３３の中に平面寸法５０×５０（ｃｍ）の各種厚みの発泡樹脂製ブロック（例えば、２５ｃｍ厚・１６ｃｍ厚・１０ｃｍ厚・５ｃｍ厚・３センチ厚…）が異厚ブロック１３５…として１セット入れられている。【００１０】  したがって、これらの異厚ブロック１３５…のうち適宜厚さのものを組み合わせて図示のように隙間に充填すれば床構成材１２９から梁１３０の上下間に隙間なく発泡樹脂製ブロックを充填したことになる。
尚、床下にもカマセユニット１３１をセットして圧分散板１３６を適宜挿し込むようにして支えとするが、この床下にも前記補充用カマセユニット１３２を利用することができる。【００１１】  また、ブロックと梁１３０・床構成材１２９の間はそのままでは応力が集中するためその分散のため圧分散板１３６をかませることとする。この圧分散板１３６も隙間調整の機能をもち異厚ブロック１３５で充分隙間を補填できない場合はこの圧分散板１３６を数枚かませることで対処することができる。
さらに、ブロックのずれを防止するため、カマセユニット１３１相互間は、脱着具１３７付のバンド１３８でワンタッチ式で連結するようにする。脱着具１３７としてはバンド用バックルのように締め込みロック可能な各種バンドファスナーを使用できる。【００１２】  また、折角積層したブロックが構造体に対してずれないように、ずれ止め材１３９をコーナーに固定する必要がある。その固定には両面テープなどを使用できる。
さらに、図４に示すように、カマセユニット１３１には、ユニット本体１３４および外装ケース１３３の双方に例えば、４点配置で一定深さをもつ規定通孔１４０…を上下面（４面に対してでもよい）配しておき、当て座１４１の上下にピン１４２…を備えた嵌着ピン１４３を現場で嵌め入れて上下ブロックがずれないように連結するようにしてもよい。このピン１４３は圧入する方式とすればずれを有効に防止するし、接着剤を組み合わせることも固着化に有効である。
【図面の簡単な説明】
【００１３】
【図１】本発明の一実施形態を示す応急地震対策工法の概要図。
【図２】本発明の他の実施形態を示す緊急地震対策工法の概要図。
【図３】地震対策工法の具体例を示す斜視図。
【図４】カマセユニットの他の連結方法を示す斜視図。
【符号の説明】
【００１４】  １２８…柱  １２９…床構成材  １３０…梁  １３１…カマセユニット  １３２…補充用カマセユニット  １３３…外装ケース  １３４…ユニット本体  １３５…補充用カマセユニット  １３７，１３８，１４３…連結具。
【図１】
0005256465.tif 000002
【図２】
0005256465.tif 000003
【図３】
0005256465.tif 000004
【図４】
0005256465.tif 000005